(57)【要約】【課題】糸付き球を用いた不正行為を確実に防止することが可能な球発射通路を提供する。【解決手段】遊技盤の遊技領域に向けて発射された球を誘導する球発射通路であって、遊技盤上に配設される外ガイドレールと、外ガイドレールよりも遊技領域側において配設される内ガイドレールと、内ガイドレールの先端部より外ガイドレール側に延出する球戻り防止弁とを備え、球戻り防止弁の延出方向端部側に遊技盤の前方へ向かって下方に傾斜する傾斜部が設けられ、球戻り防止弁は、当該球戻り防止弁の遊技盤表面に対する突出高さが、遊技盤に配設される部品の遊技盤表面に対する突出高さよりも高い部分を含む構成とした。【選択図】図２
2015003179.tif 000002
【特許請求の範囲】
【請求項１】
遊技盤の遊技領域に向けて発射された球を誘導する球発射通路であって、
前記遊技盤上に配設される外ガイドレールと、
前記外ガイドレールよりも前記遊技領域側において配設される内ガイドレールと、
前記内ガイドレールの先端部より前記外ガイドレール側に延出する球戻り防止弁と、
を備え、
前記球戻り防止弁の延出方向端部側に前記遊技盤の前方へ向かって下方に傾斜する傾斜部が設けられ、
前記球戻り防止弁は、当該球戻り防止弁の遊技盤表面に対する突出高さが、前記遊技盤に配設される部品の遊技盤表面に対する突出高さよりも高い部分を含むことを特徴とする球発射通路。
【発明の詳細な説明】
【技術分野】
【０００１】
本発明は、パチンコ遊技機の遊技盤に形成された球発射通路に関し、特に不正な遊技球を用いて不正な賞球を得ることを確実に防止可能な球発射通路に関する。
【背景技術】
【０００２】
従来、遊技機の一例としてのパチンコ遊技機（以下、パチンコ機という）においては、様々な方法により不正な賞球を得るいわゆるゴト行為が多発しており、パチンコ機を設置する遊技店や、遊技者に不測な損害を与えていることが知られている。
このようなゴト行為として近年、遊技店によって貸し出される遊技球（以下、球という）に接着剤等を介して糸を付けた球（以下、糸付き球という）を自作し、球と繋がる糸を手で保持したまま、糸付き球をパチンコ機の発射機構に装填し、糸付き球を遊技領域内に発射するという「糸ゴト」と呼ばれる不正行為が横行するようになっている。
より詳細には、糸付き球が遊技領域に到達すると、球と繋がる糸が球発射通路の一部を構成する内ガイドレールに設けられた球戻り防止弁の先端部に引っ掛かった状態となる。
そして、不正行為者は、球戻り防止弁の先端部を支点として手で保持した糸を操作することにより、遊技領域内に到達した糸付き球を自在に操り、糸付き球を遊技盤に配設された始動入賞口や一般入賞口に取り込ませた上で、手に保持した糸を繰り返し引っ張ることにより（リフティング動作）、上記遊技部品の内部に設けられた入賞検出センサーにより糸付き球を繰り返し検出させ短時間で大量な不正な賞球を得る。
このようなゴト行為は、遊技店、或いは、一般遊技者に対して与える不利益が極めて甚大なものとなるため、当該ゴト行為に対応する具体策を講じることが望まれるが、根本的な解決策は見出されていないのが現状である。
【先行技術文献】
【特許文献】
【０００３】
【特許文献１】特開２００６−１２２５５９号公報
【発明の概要】
【発明が解決しようとする課題】
【０００４】
そこで、本発明は上記課題を解決すべく、糸付き球を用いた不正行為を確実に防止することが可能な球発射通路を提供することを目的とする。
【課題を解決するための手段】
【０００５】
前記課題を解決すべく本発明に係る構成として、遊技盤の遊技領域に向けて発射された球を誘導する球発射通路であって、遊技盤上に配設される外ガイドレールと、外ガイドレールよりも遊技領域側において配設される内ガイドレールと、内ガイドレールの先端部より外ガイドレール側に延出する球戻り防止弁とを備え、球戻り防止弁の延出方向端部側に遊技盤の前方へ向かって下方に傾斜する傾斜部が設けられ、球戻り防止弁は、当該球戻り防止弁の遊技盤表面に対する突出高さが、遊技盤に配設される部品の遊技盤表面に対する突出高さよりも高い部分を含む構成とした。
本構成によれば、糸付き球を用いた不正行為を確実に防止することが可能な球発射通路を提供することができる。
なお、上記の発明の概要は本発明の必要な特徴のすべてを列挙したものではなく、これらの特徴群のサブコンビネーションもまた発明となり得る。
【図面の簡単な説明】
【０００６】
【図１】本発明に係る遊技機の外観を示す概略正面図である。
【図２】球戻り防止弁の近傍を示す図である。
【図３】他の実施形態に係る球戻り防止弁を示す模式図である。
【図４】他の実施形態に係る球戻り防止弁を示す模式図である。
【図５】他の実施形態に係る球戻り防止弁を示す模式図である。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００８】
図１は遊技機の一例としてのパチンコ機１０の全体正面図である。同図を用いてパチンコ機１０の概略について説明する。なお、本明細書において上下左右方向とは、図１における矢印で表される方向をいうものとする。
【０００９】
パチンコ機１０は、球が打ち出される遊技領域１１Ａを有し、内枠に対して脱着自在に取付けられる遊技盤１１と、内枠を前後方向に開閉自在に軸支する外枠とを備える。遊技盤１１の前方には、内枠の前後方向に開閉自在に軸支される窓１２Ａが設けられ、遊技盤１１の前方が閉鎖される。また、パチンコ機１０の下方には、発射ハンドル１４が回転自在に取着され、発射ハンドル１４が遊技者によって回転操作されることにより、図外の打ち出し機構が駆動する。打ち出し機構が駆動すると、上皿構造体１６内に貯留された球が球発射通路２０を通過して上方に打ち出され、遊技盤１１の前面に取付けられた外ガイドレール１８と内ガイドレール１７とで囲繞された遊技領域１１Ａ内に進入する。
【００１０】
球発射通路２０は、遊技盤１１の表面１１Ｂ上における外ガイドレール１８と、外ガイドレール１８の一部区間に沿って外ガイドレール１８よりも遊技領域１１Ａ側で遊技盤１１の表面１１Ｂ上に配設された内ガイドレール１７と、内ガイドレール１７の先端部３０より外ガイドレール１８側に延出する球戻り防止弁３１とにより構成される。
外ガイドレール１８及び内ガイドレール１７は、金属、或いは、合成樹脂よりなる帯状板であって、遊技盤１１の表面１１Ｂに対して直交するように、かつ、互いに対峙して円弧状に配設される。
そして、図外の打ち出し機構により打ち出された球は、外ガイドレール１８及び内ガイドレール１７の間を通過し、外ガイドレール１８及び内ガイドレール１７の間を閉塞するように設けられた球戻り防止弁３１を押し開けて、遊技領域１１Ａ内に到達する。
【００１１】
図２に示すように、球戻り防止弁３１は内ガイドレール１７の先端部３０近傍の位置で遊技盤１１に固定される弁保持体３８と、弁保持体３８により片側が保持される弁体３７とを有する。
弁保持体３８は、例えば合成樹脂からなる部材であって、弁体３７を保持する係止溝３８Ａと、遊技盤１１に対して上下方向に貫通する複数の貫通孔３８Ｂとを有する。
図２（ｂ）に示すように貫通孔３８Ｂには、固定手段としての釘３８Ｃが挿通され、釘３８Ｃが遊技盤１１に打ち込まれることにより、弁保持体３８が内ガイドレール１７の表面に沿った状態で固定される。係止溝３８Ａは、巻回して形成された弁体３７の根元３７Ａが挿通可能な円形溝と、当該円形溝の周囲から延長する直線状の溝とからなり、係止溝３８Ａに対して弁体３７が挿通されると、弁体３７の一部である根元３７Ａが係止溝３８Ａ内において保持される。
【００１２】
弁体３７は、弾性を有する金属、或いは、合成樹脂よりなる内ガイドレール１７よりも薄肉の帯状板であって、弁保持体３８により保持された状態において、逆くの字状に湾曲し、内ガイドレール１７の先端部３０から外ガイドレール１８側に向かって延出する。
図２（ｃ）に示すように、本実施形態においては弁体３７の幅Ｘ１の寸法は、内ガイドレール１７の幅Ｘ２の寸法と同一或いは、幅Ｘ２の寸法より小さくなるように設定され、弁保持体３８により保持された状態において、遊技盤１１の表面１１Ｂより僅かに離間した状態で弾性変形自在に取付けられる。
【００１３】
図２（ｂ）に示すように、弁体３７における弁保持体３８側の根元３７Ａは、弁保持体３８に設けられた係止溝３８Ａの孔径と対応する径となるように巻回して形成され、根元３７Ａを弁保持体３８に設けられた係止溝３８Ａに対して挿入することにより、弁体３７が弾性変形可能に弁保持体３８によって保持される。
なお、弁体３７を直接内ガイドレール１７の先端部３０に配設して、球戻り防止弁３１を形成してもよい。
【００１４】
図２（ｃ）に示すように、弁体３７における外ガイドレール１８側の先端部３７Ｂ、即ち、弁体３７の延出方向側の先端部３７Ｂは、窓１２Ａ側、即ち、遊技盤１１の前方に向かって漸次下方に傾斜する剣先状の面として形成される。
【００１５】
上記構成からなる球発射通路２０に球が打ち出されると、打ち出された球は、遠心力により外ガイドレール１８に沿って円弧状の軌跡を描いて遊技領域１１Ａ側に案内される。
そして、球が外ガイドレール１８と内ガイドレール１７の間を閉塞するように内ガイドレール１７側から外ガイドレール１８側に向かって延出する球戻り防止弁３１の弁体３７に接触すると、弁体３７はその弾性力により遊技領域１１Ａ側に撓み、球が遊技領域１１Ａ内に進入することを許容し、球が通過したことにより弾性力により原位置に復帰する。
弁体３７が原位置に復帰した状態において、弁体３７の先端部３７Ｂと外ガイドレール１８との間隔は、１つの球の直径未満となるように設定される。
つまり、遊技領域１１Ａ側に打ち出された球は、必ず弁体３７に接触した後に遊技領域１１Ａに進入し、一度遊技領域１１Ａに到達した球は、球発射通路２０に戻ることはない。
【００１６】
以下、図２の各図を参照して先端部３７Ｂの作用について説明する。
図２に示すように、糸付き球Ｐが打ち出され、球発射通路２０を経由して遊技領域１１Ａ内に到達すると、糸付き球Ｐと繋がれた糸Ｑは、糸付き球Ｐが遊技盤１１上を流下することに伴い弁体３７の先端部３７Ｂに触れることとなるが、前述の通り、先端部３７Ｂは、遊技盤１１の前方に向かって下方に傾斜する面として形成されているため、先端部３７Ｂに触れた糸Ｑは、遊技盤１１の前方に向かって滑るように誘導され、図２（ｃ）の鎖線で示すように先端部３７Ｂから遊技盤１１の下方に脱落することとなる。
即ち、本実施形態に係る球戻り防止弁３１によれば弁体３７の延出方向端部である先端部３７Ｂが、遊技盤１１の前方へ向かって下方に傾斜するように形成されたことにより、「糸ゴト」に必要となる支点を球戻り防止弁３１に作られることを確実に防止でき、糸付き球Ｐを用いた不正行為を確実に防止することができる。
【００１７】
以下、本発明に係る他の実施形態を遊技盤１１に配設される複数の部品とともに説明する。図１に示すように、遊技盤１１上には、球発射通路２０を構成する内ガイドレール１７や外ガイドレール１８の他に、中央に開設された液晶表示機の取付け孔の周囲を取り囲むように設けられた盤面飾り７０、盤面飾り７０の側方に位置する普通図柄始動部品７１、盤面飾り７０の下方における中央に位置する始動入賞部品７２、始動入賞部品７２の下方における左右に位置する複数の一般入賞部品７３、始動入賞部品７２の下方における中央に位置する大入賞部品７４、及び、遊技領域１１Ａ内を流下する球の流下方向を振り分ける多数の誘導釘７５が配設される。
【００１８】
盤面飾り７０は、遊技領域１１Ａの中央を境として左右方向に下傾斜する屋根部７０Ａ；７０Ａと、当該屋根部７０Ａ；７０Ａから下方に延在する壁部７０Ｂ；７０Ｂを有する。盤面飾り７０は、遊技盤１１の表面１１Ｂから前方に突出する合成樹脂等からなる部材であって、窓１２Ａが閉じられた状態において遊技領域１１Ａに打ち出された球が当該盤面飾り７０よりも前側から流下することはできず、球は屋根部７０Ａ；７０Ａを経由して壁部７０Ｂ；７０Ｂに沿って流下する。
普通図柄始動部品７１は、上下開放の門型に形成され、遊技盤１１の前方に突出するゲート７１Ａを有する。ゲート７１Ａは、内部に近接センサー等の球検出器を有し、ゲート内を通過する球を検出可能である。また、窓１２Ａが閉じられた状態において普通図柄始動部品７１の周囲を流下する球は、ゲート７１Ａよりも前側から流下することはできず、球はゲート７１Ａ内を通過するかゲート７１Ａを側方に逸れて流下する。
【００１９】
始動入賞部品７２は、遊技盤１１上に配設されたベースプレート７２Ａから前方に向かって球一個分の直径以上離間して配置された前面板７２Ｂと、前面板７２Ｂの両側方を閉塞するように配置された一対の開閉体７２Ｃとから構成される。
始動入賞部品７２は、ベースプレート７２Ａと前面板７２Ｂとの間の隙間（取り込み口）から球を取り込み可能な部品であって、始動入賞部品７２の周囲を流下する球は、上方の隙間から内部に取り込まれるか、開閉体７２Ｃが図外のソレノイドの駆動により左右方向に開放した状態において左右の隙間から内部に取り込まれる。また、球は、窓１２Ａが閉じられた状態において、遊技盤１１表面より前方に離間する前面板７２Ｂ、及び、開閉体７２Ｃの前側から流下することはできない。
【００２０】
一般入賞部品７３は、遊技盤１１の表面１１Ｂから前方に突出する円筒状の部材であって、上方に開設された図外の取り込み口から球を取り込み可能である。また、窓１２Ａが閉じられた状態において一般入賞部品７３の周囲を流下する球は、一般入賞部品の前側から流下することはできず、球は図外の取り込み口を経由して内部に取り込まれるか、一般入賞部品７３を側方に逸れて流下する。
大入賞部品７４は、遊技盤１１に開設された図外の矩形な入賞口と当該入賞口を閉塞する開閉体７４Ａとから構成される。開閉体７４Ａは、入賞口の下方において軸支され、図外のソレノイドの駆動により、入賞口の下方を支点として前側に開放動作する。また、窓１２Ａが閉じられた状態において大入賞部品７４の周囲を流下する球は、開閉体７４Ａが開放動作した状態において開閉体７４Ａの前側から流下することはなく、開閉体７４Ａに案内され入賞口内に取り込まれるか、大入賞部品７４を逸れて流下する。
また、遊技盤１１には、多数の誘導釘７５が植設されており、遊技領域１１Ａ内に到達した球は、誘導釘７５によって多様な方向に誘導されながら流下する。
以上説明したとおり、遊技盤１１上には内ガイドレール１７、外ガイドレール１８の他、遊技盤１１の表面１１Ｂから所定の高さ（幅）前方に突出する遊技に関する多様な部品が配設されており、上述の実施形態に係る球戻り防止弁３１から脱落した糸Ｑがこれらの部品に引っ掛かり、「糸ゴト」の支点となり得る要素が存在する。
なお、遊技盤１１上に配設される部品は、上記部品に限られるものではなく、例えば球の方向を転換する風車部材、大当りの契機となる特定入賞口を有する役物機構等、窓１２Ａが閉じられた状態において、窓１２Ａとの間隔が球一個分の直径以下となる全ての部品を対象とするものである。
【００２１】
以下、図３を参照して、他の実施形態に係る球戻り防止弁３１について説明する。なお、以下の説明は、遊技盤１１の表面１１Ｂからの突出高さが最も高い誘導釘７５を例とするものである。
図３は、球戻り防止弁３１の弁体３７の突出高さ（幅）と、遊技盤１１に植設された任意の誘導釘７５の突出高さとの関係を示し、本実施形態における弁体３７の突出高さは、弁保持体３８により、或いは、内ガイドレール１７に直接配設された状態において、誘導釘７５の突出高さよりも高くなるように配設される。
より詳細には、遊技盤１１の表面１１Ｂから弁体３７の側面３７Ｃまでの距離Ｘ３が、遊技盤１１の表面１１Ｂから誘導釘７５の頭部７５Ａまでの距離Ｘ４よりも長くなるように設定し、遊技盤１１に配設される全ての部品の内、弁体３７の突出高さ（幅）が最も高くなるように配設する。
【００２２】
弁体３７を上記構成となるように配設することにより、傾斜面として形成された先端部３７Ｂに沿って前方に誘導される糸Ｑは、遊技盤１１に配設された多数の部品よりも遊技盤１１の前方に離れた位置から脱落することとなり、糸Ｑが弁体３７と窓１２Ａとの間を下方に向けて落下する際に遊技盤１１上に配設された誘導釘７５や他の部品に引っ掛かる可能性を著しく低減させることが可能となる。
よって、遊技盤１１上において「糸ゴト」に必要な支点が作られることを防止でき、糸付き球Ｐを用いた不正行為を確実に防止することができる。
【００２３】
図４は、他の実施形態に係る球戻り防止弁３１と誘導釘７５との関係を示す模式図である。同図において球戻り防止弁３１の弁体３７は、延出方向の一部の突出高さが誘導釘７５の突出高さよりも高い点で上記実施形態と異なる。
より詳細には、弁体３７は、遊技盤１１の表面１１Ｂから弁体３７の側面３７Ｃまでの距離Ｘ３が、遊技盤１１の表面１１Ｂから誘導釘７５の頭部７５Ａまでの距離Ｘ４より長い幅広部５０と、遊技盤１１の表面１１Ｂから弁体３７の側面３７Ｃまでの距離Ｘ３が、遊技盤１１の表面１１Ｂから誘導釘７５の頭部７５Ａまでの距離Ｘ４より短い幅狭部５１とからなり、延出方向に向かって拡幅する形状である。
【００２４】
弁体３７を上記形状としても傾斜面として形成された先端部３７Ｂに沿って幅広部５０の前方に誘導される糸Ｑは、遊技盤１１に配設された誘導釘７５や多数の部品よりも遊技盤１１の前方に離れた位置から脱落することとなり、糸Ｑが弁体３７と窓１２Ａとの間を下方に向けて落下する際に遊技盤１１上に配設された他の部品に引っ掛かる可能性を著しく低減させることが可能となる。
【００２５】
図５は、他の実施形態に係る球戻り防止弁３１と誘導釘７５との関係を示す模式図である。同図において球戻り防止弁３１の弁体３７は、延出方向の一点の突出高さが誘導釘７５の突出高さよりも高い点で上記実施形態と異なる。
より詳細には、弁体３７は、側面３７Ｃの一部が下方に向かって漸次前方に傾斜する斜面５５と、上方に向かって漸次前方に傾斜する斜面５６により形成される略三角形状に形成され、遊技盤１１の表面１１Ｂから頂点Ｔまでの距離Ｘ３が、遊技盤１１の表面１１Ｂから誘導釘７５の頭部７５Ａまでの距離Ｘ４よりも長く設定される。
【００２６】
弁体３７を上記形状としても、傾斜面として形成された先端部３７Ｂから脱落した糸Ｑは、弁体３７と窓１２Ａとの間を下方に向けて落下する際に、斜面５５に沿って遊技盤１１に配設された多数の部品よりも遊技盤１１の前方に離れた頂点Ｔに誘導され、頂点Ｔから脱落することとなり、遊技盤１１上に配設された誘導釘７５や他の部品に引っ掛かる可能性を著しく低減させることが可能となる。
【００２７】
上記他の形態からも明らかなように、球戻り防止弁３１における弁体３７は、その一部に遊技盤１１に配設される部品の遊技盤１１の表面１１Ｂに対する突出高さよりも高い部分を含んでいれば良く、当該構成を採用することにより弁体３７以外に配設された遊技盤１１上の他の部品に糸Ｑが引っ掛かる可能性を著しく低減させることが可能となる。
【００２８】
以上、各実施形態を通じて本発明を説明したが、本発明の技術的範囲は上記実施形態に何ら限定されることはなく、多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００２９】
１０  パチンコ機、１１  遊技盤、１１Ａ  遊技領域、１１Ｂ  遊技盤の表面、
１７  内ガイドレール、１８  外ガイドレール、２０  球発射通路、３０  先端部、
３１  球戻り防止弁、３７  弁体、Ｐ  糸付き球、Ｑ  糸。
【図１】
2015003179.tif 000003
【図２】
2015003179.tif 000004
【図３】
2015003179.tif 000005
【図４】
2015003179.tif 000006
【図５】
2015003179.tif 000007